(57)【特許請求の範囲】
【請求項１】
親水性繊維を含む吸収性物品であって、
前記親水性繊維は、ポリアクリル酸アリルスルホン酸共重合体グルコース及び／又はポリヒドロキシエチルメタクリラートエタノールアミン共重合体グルコースを有する化合物を含む水溶性消臭剤で処理されていることを特徴とする吸収性物品。
【請求項２】
前記化合物の分子量は、６０００以上である請求項１に記載の吸収性物品。
【請求項３】
前記水溶性消臭剤がグラフト重合により得られた消臭剤であることを特徴とする請求項１又は２に記載の吸収性物品。
【請求項４】
前記水溶性消臭剤が親水性繊維基材１００重量部に対し、０．０５〜１０重量部であることを特徴とする請求項１から３のいずれかに記載の吸収性物品。
【請求項５】
前記親水性繊維が、セルロース繊維、アクリル繊維、アセテート繊維、繊維状ポリアクリル酸塩、又は、これらの組み合わせからなることを特徴とする請求項１から４のいずれかに記載の吸収性物品。
【請求項６】
前記親水性繊維の保水量が１ｇ／ｇ以上であることを特徴とする請求項１から５のいずれかに記載の吸収性物品。
【請求項７】
１以上の尿臭成分を吸収できる請求項１から６のいずれかに記載の吸収性物品。
【請求項８】
前記尿臭成分がルイス塩基性成分及びルイス酸性成分を含むことを特徴とする請求項７に記載の吸収性物品。
【請求項９】
前記塩基性成分がアミン類を含み、前記酸性成分が低級脂肪酸、硫黄化合物、アルデヒドのうち少なくとも１つを含むことを特徴とする請求項８に記載の吸収性物品。
【請求項１０】
ジメチルアミン、アセトアルデヒド、ｎ−酪酸の消臭率が、それぞれ５０％以上である請求項１から９のいずれかに記載の吸収性物品。
【請求項１１】
請求項１から１０のいずれかに記載の吸収性物品を用いたおむつ。
【請求項１２】
ポリアクリル酸アリルスルホン酸共重合体グルコース及び／又はポリヒドロキシエチルメタクリラートエタノールアミン共重合体グルコースを有する化合物を含む水溶性消臭剤で処理されていることを特徴とする吸収性物品用の親水性繊維。
【請求項１３】
前記水溶性消臭剤がグラフト重合により得られた消臭剤であることを特徴とする請求項１２に記載の吸収性物品用の親水性繊維。
【発明の詳細な説明】
【０００１】
【発明の属する技術分野】
本発明は、消臭作用のある吸収性物品に関する。
【０００２】
尿漏れパットや紙オムツ等の吸収性物品と消臭作用というものは切り離せない関係にあり、良好な消臭機能を備える吸収性物品の開発が続けられている。そして、吸収性物品に対する消臭機能付加の試みは多数検討されており、中でも紛体の消臭材を吸収性製品に複合化する検討は多く見られる。具体的には、ゼオライト、活性炭、木炭、シリカゲル、活性アルミナ、分子篩、シクロデキストリンなどの消臭機能のある材料を付加するものである。例えば、特開平２−３０７５２８号公報では、粉体の消臭剤をバインダーを用いて吸収シート化する技術が開示されており、特開平８−１７６３３８号公報では、吸収性樹脂の粒子内部に粉体消臭剤を複合化する技術が開示されている。また、特開２０００−３５０７４５号公報では、水膨潤性のない親水性繊維と粉体消臭剤を抄紙し、複合化する技術が開示されている。また、植物抽出液等の液体消臭剤が多数紹介されている。このように消臭剤をうまく吸収性物品に複合化して吸収性物品を構成することが大変重要である。即ち、適切な消臭剤を用い、適切にそれを吸収性製品（物品）に複合化する必要があり、これらにより吸収性物品の消臭機能が大きく左右される。
【０００３】
【発明が解決しようとする課題】
しかしながら、このような従来例にあっては、粉体消臭剤が吸収性物品に用いられた場合の消臭効果はその添加量に比例するため、有意に機能させるためには該粉体消臭剤を大量に使用する必要があるが、粉体自体は吸収体に固定する（吸収性物品へ複合化する）機能がなく、そのままでは脱落しやすいため、何らかの方法で固定する必要がある。そこで、特開平２−３０７５２８号公報では、バインダーを用いて固定しているが、粉体消臭剤をバインダーが覆ってしまい悪臭との接触面積が減少し、粉体消臭剤の消臭機能が低下し、その結果該消臭剤を複合化させた吸収体の消臭効果が減少してしまうおそれがある。また、特開平８−１７６３３８号公報では、吸収性樹脂の粒子内部に粉体消臭剤が存在するため、粉体消臭剤の消臭機能が低下し、その結果該消臭剤を複合化させた吸収体の消臭効果が減少してしまうおそれがある。また、特開２０００−３５０７４５号公報では、消臭剤として活性炭を用いており、活性炭は黒色であるため、消臭剤を複合化した吸収性物品の清潔感や審美性が低下するおそれがある。また、活性炭のような物理吸着系の粉体消臭剤は体液中にとどまると、悪臭を吸着する微細孔に水分が入り、消臭剤の消臭機能が低下し、その結果該消臭剤を複合化させた吸収体の消臭効果が低減してしまうおそれがある。
【０００４】
また、従来紹介されている液体消臭剤には、体液（特に尿）臭を消臭する機能を十分に持ったものは少なく、多量に添加する必要があるため、吸収体の相対量が減ることから吸収体と混合して作成される吸収性物品の吸収性能を悪化させたり、吸収体を硬くしたりもろくしたりして着用感の悪化や形態安定性を低下させてしまう場合がある。
【０００５】
本発明は以上のような課題に鑑みてなされたものであり、その目的は、吸収性能が良好で審美性に優れ、かつ、清潔感のある消臭機能を有する吸収性物品を提供することにある。
【０００６】
【課題を解決するための手段】
以上のような課題を解決するために、本発明に係る吸収性物品は、消臭性の官能基を備えたグラフト重合体を含む水溶性の消臭剤で処理された親水性繊維を含むようにしたものである。このような構成にすると、粉体状の消臭剤を用いた場合に比べ臭成分を吸着するに必要な表面積を繊維表面に広げることで確保できるので、消臭剤の重量を減らすことができ、かつ、消臭機能に優れるだけでなく、消臭剤を特に固定する必要もなく容易に吸収性物品に複合化でき、審美性に優れ清潔感のある吸収性物品を得ることができる。
【０００７】
より具体的には、本発明においては以下のような消臭性の吸収物品を提供する。まず、第１に本発明は、水溶性消臭剤で処理された親水性繊維を含む吸収性物品を提供する。水溶性消臭剤で親水性の繊維を処理するため、相互に相性が良く、消臭機能が優れるという特徴を有する。例えば、親水性繊維に対して水溶性の消臭剤の水溶液を噴霧し乾燥させる等の方法において水溶性の消臭剤で塗工等の処理をした場合、噴霧した水溶液が繊維上に薄く広がるのが、比表面積を大きくでき、より好ましいと考えられる。本発明に係る消臭剤は粉体の消臭剤と異なり、繊維と一体になりやすく、消臭剤自体を吸収物品に留めるためのバインダー等が必ずしも必要ではない。また、水溶液等になっているため、繊維上に広がりやすく、浸透処理が容易にでき得るという利点がある。更に、繊維自体が水膨潤性若しくは保水力があれば、例えば、尿吸収体自体に消臭機能を付加することができる。
【０００８】
また、本発明の吸収性物品は、水溶性消臭剤がカチオン交換基及び／又はアニオン交換基を有する化合物を含むことを特徴としてよい。このようにすることにより活性炭のような物理吸着型の消臭剤に比べ、吸着能力やその保持能力が高く、消臭機能が優れるという特徴を有する。前記水溶性消臭剤は、両交換基を同時に含まなければならないものではないが、両者を同時に含む場合は、一般に尿臭成分は複数存在すると考えられ、異なる交換基を持つことにより、性質の異なる臭気成分を同時に吸収等することになると考えられる。このため原因となる主な複数の臭気成分を同時に吸収等することとすれば、臭いの種類如何にかかわらず、制臭をすることができる。
【０００９】
本発明の吸収性物品は、カチオン交換基及び／又はアニオン交換基を有する化合物を含む水溶性消臭剤を含み、前記カチオン交換基がスルホン基及び／又はカルボキシル基であり、前記アニオン交換基がアミノ基であることを特徴としてよい。尿臭成分を効率的に吸収できる交換基を有するため、効果的に消臭することができるという特徴を有する。
【００１０】
また、本発明の吸収性物品は、カチオン交換基及び／又はアニオン交換基を有する化合物を含む水溶性消臭剤を含み、前記カチオン交換基及び／又は前記アニオン交換基が単糖若しくはオリゴ糖の側鎖に結合されていることを特徴としてよい。
【００１１】
本発明の吸収性物品は、水溶性消臭剤で処理された親水性繊維を含む吸収性物品であるが、前記水溶性消臭剤がグラフト重合により得られた消臭剤であることを特徴としてよい。
【００１２】
本発明の吸収性物品は、水溶性消臭剤で処理された親水性繊維を含む吸収性物品であるが、前記水溶性消臭剤が親水性繊維基材１００重量部に対し、０．０５〜１０重量部であることを特徴としてよい。より好ましくは、０．１〜５重量部であるとよい。軽量の消臭剤で消臭機能に優れるという特徴を有する。また、製品のピース当たり保水量１００ｇに対して０．００５〜１ｇであることを特徴としてよく、より好ましくは、０．０１〜０．５ｇであるとよい。
【００１３】
本発明の吸収性物品は、水溶性消臭剤で処理された親水性繊維を含む吸収性物品であるが、前記親水性繊維が、セルロース繊維、アクリル繊維、アセテート繊維、繊維状ポリアクリル酸塩、又は、これらの組み合わせからなることを特徴としてよい。これらの繊維は、オムツなどに用いられた場合に、適切な安全性や機械的な特性をその機能に合わせて保有しうる。また、これらの繊維は、水膨潤性を持つため、例えば尿臭の原因となる尿をある程度含むことができ、効果的に消臭をすることができるという特徴を有する。また、前記親水性繊維の保水量が１ｇ／ｇ以上であることを特徴としてよい。この保水量は、より好ましくは１〜５０ｇ／ｇで、更により好ましくは１〜１０ｇ／ｇであるとよい。
【００１４】
本発明の吸収性物品は、水溶性消臭剤で処理された親水性繊維を含む吸収性物品であるが、１以上の尿臭成分を吸収できることを特徴としてよい。更に、前記尿臭成分がルイス塩基性成分及びルイス酸性成分を含むことを特徴としてよい。また、前記塩基性成分がアミン類を含み、前記酸性成分が低級脂肪酸、硫黄化合物、アルデヒドのうち少なくとも１つを含むことを特徴としてよい。（一般には、アルデヒドは中性成分とされるが、ここでは、吸着する消臭剤の種類に合うように表現する。）このように性質の異なる複数の成分を吸収するものとしたことにより、尿臭の消臭がより効果的になるという特徴を有する。従って、本発明の吸収性物品をオムツなどに好適に用いることができる。
【００１５】
本発明は、水溶性消臭剤で処理された親水性繊維を含む吸収性物品を用いたおむつを含むようにしてもよい。
【００１６】
また、本発明は、カチオン交換基及びアニオン交換基を有する化合物を含む水溶性消臭剤で処理された親水性繊維を含むようにしてもよい。
【００１７】
更に、本発明は、ジメチルアミン、アセトアルデヒド、ｎ−酪酸の消臭率が、それぞれ５０％以上である吸収用物品を含むようにしてもよい。なお、５０％以上の消臭率に達する時間としては、好ましくは後述する表（例えば、表５）に示す通りである。ジメチルアミン、アセトアルデヒド、ｎ−酪酸はそれぞれに尿臭成分に含まれるものと考えられ、これらを消臭できれば、尿臭も制限することができると考えられる。尚、これら３つの化合物の誘導体及び／又は本願の吸収性物品近傍で化学反応その他の変化によりこれらの化合物が発生する場合を含む概念である。また、消臭率とは、[(ブランクのガス濃度−各サンプルのガス濃度)÷ブランクのガス濃度]ｘ１００で計算されるもので、パーセントで表示する（各サンプルとは上述の化合物のことをいう）。
【００１８】
【発明の実施の形態】
以下、本発明を詳細に説明するが、本発明は、これに限定されるものではない。
【００１９】
＜水溶性の消臭剤＞
水溶性の消臭剤とは、消臭機能を有する水溶液又は懸濁液になりうる消臭剤であって、消臭成分を吸収及び／又は分解することにより、まわりの尿臭などの臭気成分を吸収及び／又は分解し、制臭する物質をいう。このような消臭剤としては、例えば、カチオン交換基及び／又はアニオン交換基を有する化合物を含む物質等を含むんでよく、カチオン交換基としては、スルホン基及び／カルボキシル基を含んでよく、アニオン交換基としては、アミノ基を含んでよい。このような消臭剤は、例えば、上述のカチオン交換基及び／又はアニオン交換基を有する化合物をグラフト重合により単糖若しくはオリゴ糖の側鎖に結合させて作ることができる。ここで、単糖とは、例えばグルコースを含むものであり、オリゴ糖とは、ショ糖を含むものである。また、グラフト重合とは、熱・光等のエネルギーにより化合物に結合を起こさせる重合をいい、放射線によるグラフト重合を含んでよい。
【００２０】
本発明に関する水溶性の消臭剤としては、例えば、臭い（特に尿臭）に対して効果を示す消臭剤を含んでよい。また、臭成分と考えられるアルデヒド類、低級脂肪酸類等に対して吸着効果があるもの（例えば、アニオン交換基［アミノ基（−ＮＨ2）等］）や、臭成分と考えられるアミン・アンモニア類に対して吸着効果があるもの（カチオン交換基［カルボキシル基（−ＣＯＯＨ）、スルホン基（−ＳＯ３Ｈ）等］）を持つ化合物を含んでよい。具体的には、アクリル酸、アリルスルホン酸ナトリウム、グルコース、２−エタノールアミン、２−ヒドロキシエチルメタクリラートを原料として放射線グラフト重合により得られた物質（ポリアクリル酸アリルスルホン共重合体グルコース、ポリヒドロキシエチルメタクリラートエタノールアミン共重合体グルコース）を含んでよい。また、放射線グラフト重合によって作られたイオン交換型消臭剤を含んでよい。このようなイオン交換型消臭剤は、放射線グラフト重合して得られた化合物を含んでよく、例えば、液状陽イオン交換体であるポリアクリル酸アリルスルホン酸共重合体グルコースや液状陰イオン交換体であるポリヒドロキシエチルメタクリラートエタノールアミン共重合体グルコースを含んでよい。これらの、構造式の例を図１に示す。図１（ａ）は、ポリアクリル酸アリルスルホン酸共重合体グルコースの一例を示すもので、Ｒ２はアミンを含むポリマーで、単糖としてグルコースを用いている。図１（ｂ）は、ポリヒドロキシエチルメタクリラートエタノールアミン共重合体グルコースの一例を示すもので、Ｒ１はスルホン酸基やカルボキシル基を含むポリマーで、単糖としてグルコースを用いている。
【００２１】
本発明に関する消臭剤は、これらのイオン交換体のいずれか若しくは両方を含んでよく。両者を含んだ場合、両イオン交換体の相互作用による個々の機能の低下を招きにくいものがより望ましい。尚、これらの消臭剤の分子量は、６０００以上であることが好ましい。
【００２２】
図２に消臭剤の現時点で考えられる消臭機能を模式的に表すモデルを示す。図中、官能基ＡとＢはそれぞれに異なる性質を有し、異なる悪臭ガスを吸着することができると考えられる。また、図３には、悪臭ガスの成分と考えられるアミン類、低級脂肪酸、硫黄化合物、及び、アルデヒドが如何にして本願に関する消臭剤により吸着されるかを化学式で模式的に示す。例えばアンモニア等のアミン類が吸着される場合は、以下の式のようになる。
【００２３】
【化１】
0003964685.tif 000002
【００２４】
低級脂肪酸が吸着される場合は、以下の式のようになる。
【００２５】
【化２】
0003964685.tif 000003
【００２６】
硫黄化合物が吸着される場合は、以下の式のようになる。
【００２７】
【化３】
0003964685.tif 000004
【００２８】
更にアルデヒド類では、以下の式のようになる。
【００２９】
【化４】
0003964685.tif 000005
【００３０】
このモデルは、現時点での推定モデルであるが、後に述べる実験結果をうまく説明できるものである。
【００３１】
[親水性繊維]
親水性の繊維とは、水等に対して相性が良い繊維のことをいい、例えば、水に対する濡れ性がよいものを含んでよい。このような繊維としては、繊維自体が親水性であるものを、特に、その表面が親水性を示すものを含んでよく、仮に繊維自体が親水性の材料で構成されていなくても、界面活性剤処理等の表面処理やその他の処理により、表面に親水性を付与させたものを含んでよい。
【００３２】
上述のような親水性繊維の具体的な例としては、セルロース繊維、アクリル繊維、アセテート繊維、又は、これらの組み合わせからなる繊維等の親水性の素材からなる繊維であってよい。例えば、パルプやレーヨンは、セルロース繊維を含む代表的な繊維と考えられ、前記親水性繊維に含まれる。特に、上述の繊維のように水膨潤性のある繊維は、より好ましい。
【００３３】
上述のような親水性繊維は、合成繊維の表面を界面活性剤により処理し親水性にしたものを含んでよく、合成繊維の原料となる樹脂に界面活性剤を練りこんだ繊維を含んでもよい。合成繊維としては、例えば、ポリエチレン、ポリプロピレン等のポリオレフィン系繊維、ポリエチレンテレフタレート等のポリエステル系繊維等、ポリウレタン繊維等が具体例としてあげられる。
【００３４】
一般に、上述の親水性繊維を原料として消臭剤の付着基材を作ってもよく、例えば、パルプ又はレーヨン等の親水性繊維をシート化させたティッシュのようなものを基材として用いてもよい。本願に関する消臭剤の付着基材は、織布や不織布を含み、不織布の製法としては、サーマルボンド、スパンボンド、ケミカルボンド、スパンレース、エアレイドがあるが、得られる特性に注目し適宜選択してよい。
【００３５】
[消臭剤の塗工]
消臭剤は原液でも上述の繊維を含む繊維基材に塗工可能であるが、粘度の調整が必要な場合には、水に溶解または分散させ、塗工してもよい。塗工手段としては、スプレーの噴射、スロットコーターによる押し出し塗工、ロールコーターによる転写塗工、グラビア塗工等を含んでよく、消臭剤を適当な濃度に調整した後に繊維を含む繊維基材をディッピングしてもよい。消臭剤を繊維基材に塗工する場合の塗工パターンとしては、基材全面であってもよく、間欠塗工でもよく、吸収性を考慮して、あるいは経済性を考えて点状、線状、格子状にしても良い。
【００３６】
上述のようにして繊維を含む繊維基材に消臭剤又は消臭剤の水溶液等を付着させた後に、消臭剤を繊維を含む繊維基材に固定させるため、室温乾燥、熱乾燥等の適切な処理を行うと好ましい。
【００３７】
一般に消臭剤の量が増えると消臭機能が増すが、多すぎると吸水機能及び／又は体液等の流体の透過性を阻害するおそれがあり、また、経済性の観点からも必ずしも好ましいとは限らない。一方、消臭剤が少なすぎるとその消臭機能が十分でないおそれがある。種々の実験の結果、この消臭剤の量としては、製品のピース当たり保水量１００ｇに対して、０．００５〜１ｇ（乾燥重量）が好ましく、０．０１〜０．５ｇ（乾燥重量）がより好ましい。また、塗工前の親水性繊維基材（繊維を含む）の重量１００部に対して０．０５〜１０部（乾燥重量）が好ましく、０．１〜５部（乾燥重量）がより好ましい。
【００３８】
[吸収性物品の配置]
本願の発明に係る吸収性物品は、臭（悪臭、尿臭等）を消臭するのに最適な位置にあることが好ましく、例えば、臭の元である液体等（例えば、尿）と直接接触する位置若しくは近接する位置、又は、臭の元である液体等から遠く離れないまでも臭を感じるヒト等の鼻や検出器等の近く等、又は、臭の源と鼻等との間に位置することが好ましい。
【００３９】
例えば、オムツ交換時の尿臭による不快感を解決する目的で使用する場合には、尿臭は、液透過性の表面材を通過して発生するため、消臭剤の存在位置としては、表面材（表面・裏面）、吸収体（内部、表層）、裏面材（吸収体側）のいずれであっても良いが、吸収体として用いられるパルプ、ティッシュが存在する付近がより好ましい（トップシート→バックシート断面で考えた場合）。また、高吸収性樹脂、透湿性防漏シートの発明により、現在のオムツは夜間や外出時等長時間使用が可能となっており、このような場合には、透湿性防漏シートの微細孔を通過して発生するため、消臭剤の存在位置としては、（１）表面材（表・裏面）、吸収体（内部、表層）、裏面材(吸収体側)のいずれであって良いが、（２）特に、吸収体の内部裏面材寄り又は裏面材側表層または、裏面材（透湿性防漏シート）の吸収体側に位置することが、より効果的であると考えられ、好ましい。
【００４０】
更に、消臭効率を向上させるために、装着者の排尿部付近（男性用は吸収性物品の中央より前側、女性用は吸収性物品の中央部）に集中させることが好ましい（前身頃（ターゲット側）→後身頃（ファッソン側）で考えた場合）。
【００４１】
以下、具体的に行ったサンプル調整及びそれらの評価結果を説明する。
【００４２】
[消臭剤サンプル]
日本原子力研究所で作成された放射線グラフト重合によって得られたイオン交換型消臭剤を消臭剤サンプルとして用いた。１種類は、液状陽イオン交換体であるポリアクリル酸アリルスルホン酸共重合体グルコースを含むものであり、もう１種類は、液状陰イオン交換体であるポリヒドロキシエチルメタクリラートエタノールアミン共重合体グルコースを含むものである。これらの分子量は、それぞれ、６０００以上であった。上記２種類のものは、重量比で５０対５０の割合で混合され、５％の水溶液にして、以下に述べる塗工に用いた。
【００４３】
尚、消臭剤の比較例として、ナカライテスク社製の活性炭であって、形状が粉末で、粒径が約３５０メッシュ、おがくず製、未洗浄処理品を用いた（以下、「活性炭」とする）。また、もう一つの消臭剤の比較例として、ユニオン昭和社製の合成ゼオライトであって、商品名が「ＡＢＳＣＥＮＴＳ３０００」（化学名／ナトリウムアルミノシリケート、ＮＡ２Ｏ／５％以下、ＡＬ２Ｏ３／４％以下、ＳＩＯ２／１００％以下、水／１０％以下、  径／３〜５μＭ）を用いた（以下、「ゼオライト」とする）。
【００４４】
[繊維基材]
＜繊維基材１＞
木材パルプ１００％を原料にシート状にしたティッシュ（国光製紙（株）製）を繊維基材１として用いた。単位面積当たりの重量は１８．５ｇ／ｍ２であった。
【００４５】
＜繊維基材２＞
ＰＥ／ＰＥＴバイコンポーネント繊維からなるサーマルボンド不織布（ユニチャームマテリアル（株）製、商品名：ソフロン。以下ＴＡ不織布（親水）という。）を繊維基材２として用いた。本基材は、ＰＥ／ＰＥＴバイコンポーネント繊維２５ｇ／ｍ２から構成され、表面を界面活性剤で処理済みである。
【００４６】
＜繊維基材３＞
上述のＰＥ／ＰＥＴバイコンポーネント繊維からなるサーマルボンド不織布を蒸留水に１時間浸漬し、蒸留水で３回洗浄後、室温で２４時間乾燥し、繊維基材３とした（以下、ＴＡ不織布（疎水）という）。
【００４７】
[消臭剤の塗工]
上述の基材１（１００ｍｍ×３００ｍｍ）どうしを１、２、４、８枚重ねたものを準備し、基材１−１、１−２、１−４、１−８として、塗工用の繊維基材とした。上述の基材２及び３についても同様に重ねたものを準備し、基材２−１、２−２、２−４、２−８；基材３−１、３−２、３−４、３−８とした。これらの準備した基材に上記消臭剤の５％水溶液をハンドスプレーを用いて、設定量（０．９，３．０ｇ）噴霧した。その後、５０℃で２時間乾燥させ、それぞれに実験用の消臭剤塗工サンプル１−１、１−２、１−４、１−８；２−１、２−２、２−４、２−８；３−１、３−２、３−４、３−８とした。
【００４８】
基材４に消臭剤を塗工する場合は、ハンドスプレーにて設定料をトップシートから塗工後、５０℃で２時間乾燥させた。基材４に比較例の消臭剤である活性炭やゼオライトを用いる場合は、薬包紙に設定量（０．５ｇ）を測りとり、トップシートから均一になるように散布した。
【００４９】
[実験１]
５０×１００ｍｍの濾紙〔Ｎｏ．２（東洋濾紙株式会社製）〕を吸収体とし、その上に５０×１００ｍｍにカットした上述の消臭剤塗工サンプル（１−１、１−２、１−４、１−８；２−１、２−２、２−４、２−８；３−１、３−２、３−４、３−８）を置いた。上記サンプルセットの中央部に健常成人より回収した新鮮尿１０ｇを投入し、２００ｍｌビーカーに入れ、ポリプロピレン性チャック付き袋〔チャック付きＰＰ袋「ミニグリップ」（生産日本社製）〕に密閉し、３７℃に１，２，４，８時間保ち、健常な成人パネル５名で、６段階臭気表示法により確認した。この６段階臭気表示法とは、臭気について下記の６段階に分け、評点をつけるものである。
「０：無臭、１：やっと感知できるにおい、２：何のにおいであるか分かる弱いにおい、３：らくに感知できるにおい、４：強いにおい、５：強烈なにおい」
【００５０】
［実験１の結果］
５人の被験者の評点を平均した官能評価実験結果を表１にまとめる。親水性繊維集合体であるティッシュ［基材１］、ＴＡ不織布（親水）［基材２］の消臭効果とＴＡ不織布（疎水）［基材３］の消臭効果を比較すると、ティッシュ、ＴＡ不織布（親水）の方が効果が高かったことがわかる。
【００５１】
【表１】
0003964685.tif 000006
【００５２】
また、同じ基材間でも、消臭剤噴霧時の基材枚数が多いものの方が効果が高かった。これは、添加量が少なくても、消臭剤を広く繊維基材中に分散することで、消臭効果を極大化できるためと思われる。即ち、親水性の繊維に散布する事により、親水性の消臭剤が基材内に拡散（滲む）する事により、基材内で消臭剤が付着している表面積が増加しより効果を示したものと考えられる。また、同基材内でも、重ね枚数の増加により、厚み方向への消臭剤の拡散（滲み）が増加する事により、付着面積の増加により効果が高くなったものと考えられる。
【００５３】
[実験２]
尿とりパッド製品に消臭剤を複合化した場合の塩基性（ジメチルアミン）・中性（アセトアルデヒド）・酸性（酪酸）に対する１）消臭効果を測定するために、以下の実験２を行った。
【００５４】
＜繊維基材４＞
ライフリーパンツ用尿ガード（ユニ・チャーム（株）製）を繊維基材４として用いた。この製品は、表面材として繊維基材２を配し、吸収体はフラッフパルプ、高吸水性ポリマーティッシュから構成される。
【００５５】
＜ジメチルアミン測定方法＞
（１）ジメチルアミン（５０％水溶液，ナカライ試薬）を１０００ｍｌ三角フラスコに４ｇ入れ、生理食塩水で０．２％溶液とした。尚、調整はガスの揮発を防ぐため、３℃ビルトインチャンバー内で行った。
【００５６】
（２）セパブルフラスコ中にサンプルを入れ、中央部に（１）で調整した液を１００ｇ投入した。ブランクは、サンプルをいれず調整液のみを投入した。セパブルフラスコを組み立て、中央の穴にゴム栓を取り付け、注射器で約１リットルの空気を取り付けた匂い袋にためた。セパブルフラスコに取り付けたシリコンチューブをピンチコックで止めた。このフラスコを３７℃恒温槽で加温し、一定時間後にガス検知管（ガステック社製アミン類１８０）を用いてガス濃度を測定した。
【００５７】
＜アセトアルデヒドの測定方法＞
（１）アセトアルデヒド（ナカライ試薬）を１０００ｍｌ三角フラスコに０．１ｇ入れ、生理食塩水で０．０１％溶液とした。尚、調整はガスの揮発を防ぐため、３℃ビルトインチャンバー内で行った。
【００５８】
（２）セパブルフラスコ中にサンプルを入れ、中央部に（１）で調整した液を１００ｇ投入した。ブランクは、サンプルをいれず調整液のみを投入した。セパブルフラスコを組み立て、中央の穴にゴム栓を取り付け、注射器で約１リットルの空気を取り付けた匂い袋にためた。セパブルフラスコに取り付けたシリコンチューブをピンチコックで止めた。このフラスコを３７℃恒温槽で加温し、一定時間後にガス検知管（ガステック社製アセトアルデヒド９２Ｍ）を用いてガス濃度を測定した。
【００５９】
＜酪酸の測定方法＞
（１）ｎ−酪酸（ナカライ試薬）を１０００ｍｌ三角フラスコに３ｇ入れ、生理食塩水で０．２％溶液とした。尚、調整はガスの揮発を防ぐため、３℃ビルトインチャンバー内で行った。
【００６０】
（２）セパブルフラスコ中にサンプルを入れ、中央部に（１）で調整した液を１００ｇ投入した。ブランクは、サンプルをいれず調整液のみを投入した。セパブルフラスコを組み立て、中央の穴にゴム栓を取り付け、注射器で約１リットルの空気を取り付けた匂い袋にためた。セパブルフラスコに取り付けたシリコンチューブをピンチコックで止めた。このフラスコを３７℃恒温槽で加温し、一定時間後にガス検知管（ガステック社製酢酸８１Ｌ）を用いてガス濃度を測定した。
【００６１】
[実験２の結果]
表２に実験２の結果をまとめる。製品（基材４）に消臭剤加工を行った場合、１２０分後の悪臭ガス濃度が、ジメチルアミンで５ｐｐｍ以下、アセトアルデヒトで８５ｐｐｍ以下、ｎ−酪酸で０．０５ｐｐｍ以下であった。また、１２０分後の消臭率〔消臭率（％）＝（ブランクのガス濃度−各サンプルのガス濃度）÷ブランクのガス濃度〕×１００〕がジメチルアミン、アセドアルデヒド、ｎ−酪酸に対しいずれも５０％以上であった。一方、比較例の活性炭やゼオライトでは、いずれも５０％以下であった。表８にこれらの結果をまとめる。
【００６２】
【表２】
0003964685.tif 000007
【００６３】
【表３】
0003964685.tif 000008
【００６４】
【表４】
0003964685.tif 000009
【００６５】
【表５】
0003964685.tif 000010
【００６６】
【表６】
0003964685.tif 000011
【００６７】
【表７】
0003964685.tif 000012
【００６８】
【表８】
0003964685.tif 000013
【００６９】
[実験３]
上述の基材４を用いたサンプルの中央部に健常成人より回収した新鮮尿１００ｇ投入し、１０００ｍｌビーカーに入れ、ポリプロピレン性チャック付き袋に密閉し、３７℃に１、２、４、８時間保ち、健常な成人パネル３名で、６段階臭気表示方法により確認した。
「０：無臭、１：やっと感知できるにおい、２：何のにおいであるか分かる弱いにおい、３：らくに感知できるにおい、４：強いにおい、５：強烈なにおい」
【００７０】
実験結果を表９にまとめる。本発明の実施例は、いずれも活性炭やゼオライトよりも高い消臭効果が認められた。
【００７１】
【表９】
0003964685.tif 000014
【００７２】
図４に、本発明の吸収性物品を応用した製品の１例を示す。この図は、該製品の断面を模式的に表したものである。この製品はオムツ２０であり、その構成は、中央部に上層パルプ及びブレンドＳＡＰからなる吸収体２４、その上面に本発明に係る消臭剤を塗工した上層ティッシュ２２、更にその上にクッション不織布３０、吸収体２４の下にバックシート（バックフィルム）３２が配置されるようになっている。このような構成となっているため、吸収体２４に吸収された尿等の液体から発生する臭気成分をティッシュ２２の消臭剤が吸収し、上側に臭気成分が放出されにくく、十分な制臭機能を発揮できる。尚、バックフィルム３２が、臭気の下側への放出を制限するため、全体として十分な制臭機能を有するオムツを得ることができる。
【００７３】
図５及び６に、本発明の吸収性物品を応用した製品の２つの例を模式的に示す。図５は、包装シート４２に消臭剤を全面塗工したものを、図６はティッシュ４２に消臭剤を下面より全面にスプレーしたものを用いたオムツを断面で模式的に示したものである。共にオムツ自体の構成は同じであるので、共通して説明すれば、吸収体４４を上述の包装シート４２で包み込み、その下側にクッション不織布５０、そして、トップシート不織布５２を配置し、上述の包装シート４２で包まれた吸収体の上側にバックシート４８を配置する構成となっている。全体を包み込むシートの上部であって上記消臭性包装シート４２で包み込まれた吸収体４４の両側にあたるところには、サイドギャザー部材４６が配置されている。
図５、６のいずれのオムツであっても、、吸収体４４に吸収された尿等の液体から発生する臭気成分を包装シート４２の消臭剤が吸収するため、吸収体の外側に臭気成分が放出されにくく、十分な制臭機能を発揮できる。
【００７４】
【発明の効果】
以上のような本発明に係る吸収性物品は、親水性の繊維と水溶性の消臭剤を用いることにより、少量の消臭剤の添加で体液（尿）臭の低減が可能で、従来の消臭機能を持つ吸収性物品に比べ格段の消臭能力を持つことがわかる。また、親水性繊維を水溶性消臭剤で処理した場合は、疎水性の繊維を用いたときよりもその消臭能力が高いことがわかった。
【００７５】
このように吸収に直接関与しない消臭剤を少量で効果的に機能させることで。吸収体の吸収機能に対する悪影響を低減できる。また、脱落や消臭剤の固定のために新たな成分を添加する必要がないので、製造工程を簡素化でき、熱や溶剤回収などの作業環境の悪化を防ぎ、経済的な製造が可能となる。
【図面の簡単な説明】
【図１】  本発明に係る消臭剤の模式図である。
【図２】  本発明に係る消臭剤の模式的機能を説明する図である。
【図３】  本発明に係る消臭機能を模式的に説明する図である。
【図４】  本発明の吸収性物品を応用した製品の１例を示す模式図である。
【図５】  本発明の吸収性物品を応用した製品の１例を示す模式図である。
【図６】  本発明の吸収性物品を応用した製品の１例を示す模式図である。
【符号の説明】
１０    官能基Ａ
１２    官能基Ｂ
１４    基材（グルコース等）
１６    官能基Ｂに吸収される悪臭成分
１８    官能基Ａに吸収される悪臭成分
２０、４０    オムツ
２２、４２    消臭剤で処理されたティッシュ（包装シート）
２４、４４    吸収体
２６、４６    サイドギャザー部材
４８    バックシート
５０    クッション不織布
３２、５２    トップシート不織布
【図１】
0003964685.tif 000015
【図２】
0003964685.tif 000016
【図３】
0003964685.tif 000017
【図４】
0003964685.tif 000018
【図５】
0003964685.tif 000019
【図６】
0003964685.tif 000020